(57)【要約】      （修正有）【課題】空間を占めず、収納に便利で、且つ袋体の口径大小に応じて可撓性バンドの口径大小を調整して異なる口径に適応させるゴミ袋支持装置の提供。【解決手段】座体１と、蓋板２と、導座３及び可撓性バンド体３２とによって構成され、前記座板の後ろ側に差入れ溝１１が形成され、座体下方には凹部１２が凹設され、座体の両側上端には二つの枢軸１３が設置してあり、蓋板の後ろ側両端にはそれぞれ枢接部２１を設け、前記枢接部は座体の枢軸と相互に枢接し、蓋板の後ろ側下端に座体の凹部と嵌合する突起部２２を設け、導座内にスライド溝３１が開設され、スライド溝の中に可撓性バンド体が置かれ、導座を嵌め込むことによって差し込み孔４が形成される。【選択図】図３Ｂ
0003113842.tif 000002
【実用新案登録請求の範囲】
【請求項１】
後ろ側上下の中間に差し入れ溝を形成し、下方に凹部を凹設し、両側上端にそれぞれ枢軸を設置した座体と、
後ろ側両端にそれぞれ枢接部を設け、後ろ側下端に突起部を設置した蓋板と、
可撓性バンド体を入れるためのスライド溝を開設した導座と、を含み、
前記蓋板の枢接部は座板の枢軸と相互に枢接し、蓋板を上下に開閉させることができると共に、蓋板の突起部によって座体の凹部に嵌め込みが可能であり、
前記導座は、座体の差し入れ溝の側辺から差し入れられるように差し込み孔を形成し、
導座内の可撓性バンド体を導座のスライド溝から外へ突き出し、更に可撓性バンド体をもう一方の差し込み孔の中に差し込み、
袋体を可撓性バンド体にセットする前に、蓋板を開け、次に袋体の一部分を蓋板の最高箇所まで持ち上げた後、蓋板を閉じると、前記蓋板の突起部が座体の凹部に嵌り、袋体が蓋板に挟まれて位置決めされ、袋体を可撓性バンド体の上にセット可能に構成したことを特徴とする、
環境保護タイプ伸縮式ゴミ箱支持装置。
【請求項２】
前記可撓性バンド体は、弾力性を有し、任意の形状に湾曲させることが出来、且つ不当な外力に由来する圧力を受けると、異なる圧力の大小に応じて、任意且つ柔軟に変形することができ、且つ袋体の口径の異なる大小に応じて、無段階式に任意に可撓性バンド体の口径を調整して、異なる口径の袋体に合わせることができることを特徴とする、請求項１に記載の環境保護タイプ伸縮式ゴミ袋支持装置。
【請求項３】
前記可撓性バンド体は、任意に長さ調整をできる特性を持っていて、物体に当て輪を嵌め、物体上の当て輪が可撓性バンド体に当ることによって物体が可撓性バンド体に受け止められ、安定して可撓性バンド体の上に架設されることを特徴とする、請求項１に記載の環境保護タイプ伸縮式ゴミ袋支持装置。
【考案の詳細な説明】
【技術分野】
【０００１】
本考案は、環境保護タイプ伸縮式ゴミ袋支持装置、特に伸縮式の調整バンドによって袋体の口径大小に応じて可撓性袋体の口径大小を調整し、異なる口径の袋体をセットすることの出来る環境保護タイプ伸縮式ゴミ袋支持装置に関するものである。
【背景技術】
【０００２】
一般家庭、車内或いはその他の公共場所では、ゴミを捨てることが出来るように必ずゴミ箱を備えている。
ゴミ箱を設置しないと、人々が任意にゴミを捨てる結果を招き、生活環境を不潔なものにする。
従って、ゴミ箱は人々の生活にとって不可欠で重要な生活用品となっている。
そして、ゴミ箱は大、中、小の異なる類型に分けられ、卓上型のゴミ箱さえ見受けられる。
【考案の開示】
【考案が解決しようとする課題】
【０００３】
一般のゴミ箱は全て硬式の殻体をなしているので、ゴミの容量も殻体によって制限される。ユーザーが収納する時、より好ましいスペースに有効に収める事が出来ず、ユーザーにとっては、かなり不便なところがある。
【０００４】
また一般にユーザーの車内にもゴミ箱がシートのそばに置かれるが、車の運転中に方向転換や、急停車などの状況で、ゴミ箱を転倒させ、ユーザーがその位置を元に戻したりしなければならず、かなり面倒である。
【０００５】
また車内の使用空間が狭いため、ゴミ箱を置くスペースを占めると、ユーザーの行動スペースも制限を受ける。
【０００６】
また公共場所のゴミ箱は尚更、体積が膨大であるばかりでなく、一杯になった袋体を運ぶのも非常に不便である。大型のゴミ箱を清掃するのも一層容易でなく、その結果、ゴミ箱の不潔によって、町の景観に悪影響を及ぼし、市区やその他の公共場所に来る外来遊覧客にとっては恥辱的な環境となる。
【０００７】
このように、上述した従来の方式には尚幾多の欠点があり、実に良い設計といいがたく、その改良が待たれていた。
【０００８】
本考案の目的は、空間を占めず、収納に便利で、且つ袋体の口径大小に応じて可撓性バンドの口径大小を調整して異なる口径に適応させたり、異なる材質の使い捨て袋体をセットして使用できる、半隠蔽式で環境保護タイプ、収納に便利など数種の機能を兼ね備えた環境保護タイプ伸縮式ゴミ袋支持装置を提供することにある。
【課題を解決するための手段】
【０００９】
前記目的を達成できる環境保護タイプ伸縮式ゴミ袋支持装置は、座体と、蓋板と、導座及び可撓性バンド体とによって構成される。前記座板の後ろ側に差入れ溝が形成され、座体下方には凹部が凹設され、また、座体の両側上端には枢軸が設置してある。
蓋板の後ろ側両端にはそれぞれ枢接部を設け、蓋板の後ろ側下端に突起部が設置してある。そして前記枢接部は座体の枢軸と相互に枢接していて、蓋板を上下に開閉できるようになっており、更に蓋板の突起部によって座体の凹部に嵌めこむことが出来るようになっている。
また導座にはスライド溝が開設され、スライド溝の中に可撓性バンド体が置かれ、且つ可撓性バンド体の後端部に摘み体が結合され、この摘み体と可撓性バンド体の相互結合方式によって、ユーザーは可撓性バンド体を前後に滑らせて動かすことが出来る。
一方、前記導座は座体の差し入れ溝内に嵌め込むもので、導座を嵌め込むことによって差し込み孔が形成される、この時、可撓性バンド体の先端部をスライド溝から引き出し、円を描いてもう一方の差し込み孔に入れ、前記可撓性バンド体の先端部を一時的に前記もう一方の差し込み孔の中に留めておくと、本件の環境保護タイプ伸縮式ゴミ袋支持装置を形成できる。
【００１０】
すなわち、本願の第１考案は、後ろ側上下の中間に差し入れ溝を形成し、下方に凹部を凹設し、両側上端にそれぞれ枢軸を設置した座体と、後ろ側両端にそれぞれ枢接部を設け、後ろ側下端に突起部を設置した蓋板と、可撓性バンド体を入れるためのスライド溝を開設した導座と、を含み、前記蓋板の枢接部は座板の枢軸と相互に枢接し、蓋板を上下に開閉させることができると共に、蓋板の突起部によって座体の凹部に嵌め込みが可能であり、前記導座は、座体の差し入れ溝の側辺から差し入れられるように差し込み孔を形成し、導座内の可撓性バンド体を導座のスライド溝から外へ突き出し、更に可撓性バンド体をもう一方の差し込み孔の中に差し込み、袋体を可撓性バンド体にセットする前に、蓋板を開け、次に袋体の一部分を蓋板の最高箇所まで持ち上げた後、蓋板を閉じると、前記蓋板の突起部が座体の凹部に嵌り、袋体が蓋板に挟まれて位置決めされ、袋体を可撓性バンド体の上にセット可能に構成したことを特徴とする、環境保護タイプ伸縮式ゴミ箱支持装置である。
本願の第２考案は、前記可撓性バンド体は、弾力性を有し、任意の形状に湾曲させることが出来、且つ不当な外力に由来する圧力を受けると、異なる圧力の大小に応じて、任意且つ柔軟に変形することができ、且つ袋体の口径の異なる大小に応じて、無段階式に任意に可撓性バンド体の口径を調整して、異なる口径の袋体に合わせることができることを特徴とする、前記第１考案に記載の環境保護タイプ伸縮式ゴミ袋支持装置である。
本願の第３考案は、前記可撓性バンド体は、任意に長さ調整をできる特性を持っていて、物体に当て輪を嵌め、物体上の当て輪が可撓性バンド体に当ることによって物体が可撓性バンド体に受け止められ、安定して可撓性バンド体の上に架設されることを特徴とする、前記第１考案に記載の環境保護タイプ伸縮式ゴミ袋支持装置である。
【考案の効果】
【００１１】
本考案の提供する環境保護タイプ伸縮式ゴミ袋支持装置は下記のような長所がある。
【００１２】
（１）本考案は、構造が簡単で、取り付けが容易であり、さらに例えば、自動車内・家庭・事務机・郊外キャンプなどの公共場所などのように多角的に各種場所において使用できる。
【００１３】
（２）環境保護タイプ伸縮式ゴミ袋支持装置の可撓性バンド体は、任意に長さを調整できるので、各種異なる口径の袋体に応じて、袋体の口径に最も適した大小に調整して、多様な規格の袋体をセットして使用することが出来る。
【００１４】
（３）可撓性バンド体の長さを調整することで、コップまたは缶など物品の大小異なる口径に応じて調整して、コップなどの物品を可撓性バンド体の上に乗せて、多角的に応用することが出来る。
【００１５】
（４）一般の買物で残った袋を袋体として使用し、車内、家庭または公共場所のゴミ箱にとって替わることで経済的で実利があるのみならず、使用後に収容する時もスペースを取らず、多くのユーザーにとっては、マルチ機能を持った環境保護タイプ伸縮式ゴミ袋支持装置を提供できる。
【００１６】
（５）使わない時は、可撓性バンド体を座体の中に収納し、目に付くものは、ただ座体及び導座が占める比較的小さい空間及び平面である。譬え、可撓性バンド体を収納しない円形体であってもかまわない。なぜなら、前記可撓性バンド体は、任意の外力による圧力を受けても、圧力に応じて変形するので、圧力が取り除かれると、またもとの円形体へ回復できるからである。
【考案を実施するための最良の形態】
【００１７】
以下、添付した図面を参照して本考案の好適な実施の形態を詳細に説明する。
【００１８】
図１〜図３Ａ〜３Ｆは、本考案に係る環境保護タイプ伸縮式ゴミ袋支持装置である。
環境保護タイプ伸縮式ゴミ袋支持装置は主として座体１と、蓋板２と、導座３と、を含む。
【００１９】
座体１は後ろ側上下の中間処に差し入れ溝１１を形成し、下方に凹部１２を凹設し、両側上端にそれぞれ枢軸１３を設置する。
蓋板２には後ろ側両端にそれぞれ枢接部２１を設け、後ろ側下端に突起部２２を設置する。
導座３には可撓性バンド体３２を入れるためのスライド溝３１を開設する。
【００２０】
前記蓋板２の枢接部２１は、座体１の枢軸１３と相互に枢接することによって、前記蓋板２を上下に開閉させ、更に蓋板２の突起部２２によって座体１の凹部１２に嵌め込むことが出来るようになっている。
【００２１】
前記可撓性バンド体３２の後端部には摘み体３３が結合され、摘み体３３と可撓性バンド体３２の相互結合方式によって、前記可撓性バンド体３２を前後にスライドして動かすことが出来る。
【００２２】
前記導座３は、座体１の差し入れ溝１１の側辺から嵌め込まれるもので、導座３を嵌め込むと、差し込み孔４が形成される。
【００２３】
前記可撓性バンド体３２は、弾力的特性を持ち、且つ任意の形状に湾曲させることが出来ると共に、不当な外力の圧力を受けると、圧力の力に応じて任意に柔軟性を持って変形することが出来るので、安全上の心配はない、
【００２４】
上述の構成部品を組立てて本考案に係るゴミ袋支持装置を最も使いやすいところ（例えば、家の中・車内・公共場所など）に置く。
ユーザーは先ず導座３内の可撓性バンド体３２を押し出し、且つ導座３のスライド溝３１を通って外部へ突き抜けさせる。
【００２５】
次に前記可撓性バンド体３２を差し込み孔４の中に差し入れると、前記可撓性バンド体３２は弾力的張力の特性を備えているので、その張力によって先端が差し込み孔４に嵌って留まる。
この時、蓋板２を開け、袋体５の一部分を蓋板２の最高のところまで引き上げた後、蓋板２の突起部２２を押し下げることによって、突起部２２を座体１の凹部１２に嵌め込み、前記袋体５を蓋板２によって挟み、位置決め固定させることが出来る。
【００２６】
嵌め込み動作を完了したら、袋体５を可撓性バンド体３２にセットし、且つ袋体５の口径より小さい口径になるまで伸縮させる。
最後に、無段階式に前後にスライドさせ、袋対５をセットして使用できる口径まで可撓性バンド体３２の口径を調整する。
この無段階式に可撓性バンド体３２を調整する方式によって、異なる口径の袋体５をセットして使用することができる。
【００２７】
即ち本件の環境保護タイプ環境保護タイプ伸縮式ゴミ袋支持装置を形成できる。
前記袋体５は、プラスチック袋・環境保護袋・買物袋・紙袋或いは使い捨て式袋体などであってよい。
袋体５は、平口の袋縁或いは手提げ式袋縁にかかわらず、また外捲くりかどうかにも係らず、いずれも使用することが出来る。
【００２８】
図４Ａ、４Ｂは、前記環境保護タイプ伸縮式ゴミ袋支持装置の操作略図である。
本考案に係るゴミ袋支持装置は支持板６１及び底板６２を枢接して出来たＬ字型折り畳み板６の上に張り付けることが出来る。
本考案に係るゴミ袋支持装置をＬ字型折り畳み板６の上に張り付けると、同様に袋体５の口径大小に応じて、可撓性バンド体３２の口径大小を前後にスライドして長さを調整し、異なる口径の袋体５をセットして使用することが出来る。
【００２９】
使わない時は、可撓性バンド体３２を逆方向へ向かってスライドさせて導座３の中へ収縮し、次に支持板６１及び底板６２を相互に折り畳んで一体となし、楽々と任意の場所に収納する。したがって、ユーザーの余分な利用空間を有効に増加することが出来る。
また、その操作方式は簡易であるのみならず、全体の構造も簡単であり、ゴミの収容量も袋体の容量に等しくすることが出来、ゴミ容量を無駄にするおそれもない。
【００３０】
尚、本考案作品の使用期間に不当な外力の圧力を受けた場合、可撓性バンド体３２が圧力に応じて柔軟に変形するので、圧力によって破損することがなく、袋体５も脱落することはなく、些かも安全問題が生じることはない。
【００３１】
図５Ａ，５Ｂは、環境保護タイプ伸縮式ゴミ袋支持装置のもう一つの実施略図である。
前記可撓性バンド体３２の任意に調整できる特性を利用して、これを缶など大小の異なる物品の口径に調整することが出来る。
【００３２】
コップ７の実施例では、更にコップ７に当て輪７１を嵌め、次にコップ７を可撓性バンド体３２の上に置くと、コップ７の当て輪７１が可撓性バンド体３２に当たってコップ7を可撓性バンド体３２の上に安定して支えることができて、環境保護タイプ伸縮式ゴミ袋支持装置を多角的に使用することができる。
前記当て輪７１は、円形・四角形或いはその他の形状の物件であってよい。
【図面の簡単な説明】
【００３３】
【図１】本考案に係る環境保護タイプ伸縮式ゴミ袋支持装置の斜視図
【図２】前記環境保護タイプ伸縮式ゴミ袋支持装置の斜視結合図
【図３Ａ】前記環境保護タイプ伸縮式ゴミ袋支持装置の実施例略図
【図３Ｂ】前記環境保護タイプ伸縮式ゴミ袋支持装置の実施例略図
【図３Ｃ】前記環境保護タイプ伸縮式ゴミ袋支持装置の実施例略図
【図３Ｄ】前記環境保護タイプ伸縮式ゴミ袋支持装置の実施例略図
【図３Ｅ】前記環境保護タイプ伸縮式ゴミ袋支持装置の実施例略図
【図３Ｆ】前記環境保護タイプ伸縮式ゴミ袋支持装置の実施例略図
【図４Ａ】前記環境保護タイプ伸縮式ゴミ袋支持装置の別の実施例略図
【図４Ｂ】前記環境保護タイプ伸縮式ゴミ袋支持装置の別の実施例略図
【図５Ａ】前記環境保護タイプ伸縮式ゴミ袋支持装置の可撓性バンド体が圧力を受けた状態の略図
【図５Ｂ】前記環境保護タイプ伸縮式ゴミ袋支持装置の可撓性バンド体が圧力を受けた状態の略図
【符号の説明】
【００３４】
１・・・・・・座体
１１・・・・・差し入れ溝
１２・・・・・凹部
１３・・・・・枢軸
２・・・・・・蓋板
２１・・・・・枢接部
２２・・・・・突起部
３・・・・・・導座
３１・・・・・スライド溝
３２・・・・・可撓性バンド体
３３・・・・・摘み体
４・・・・・・差し込み孔
５・・・・・・袋体
６Ｌ・・・・・字型折り畳み板
６１・・・・・支え板
６２・・・・・底板
７・・・・・・コップ
７１・・・・・当て輪
【図１】
0003113842.tif 000003
【図２】
0003113842.tif 000004
【図３Ａ】
0003113842.tif 000005
【図３Ｂ】
0003113842.tif 000006
【図３Ｃ】
0003113842.tif 000007
【図３Ｄ】
0003113842.tif 000008
【図３Ｅ】
0003113842.tif 000009
【図３Ｆ】
0003113842.tif 000010
【図４Ａ】
0003113842.tif 000011
【図４Ｂ】
0003113842.tif 000012
【図５Ａ】
0003113842.tif 000013
【図５Ｂ】
0003113842.tif 000014